(57)【要約】【課題】コンテンツの再生者がそのコンテンツの購入者本人であること、及びその再生条件が契約条件に一致していることを確認してコンテンツを再生させる。【解決手段】通信ネットワークを介してコンテンツ・プロバイダから購入したコンテンツ、同時に送られてきた再生許諾条件と本人認証控情報とをＨＤＤに保存しておく。再生に際しては再生コンテンツＩＤ、その再生方法、本人認証情報を入力させる。入力された情報をＨＤＤ内の保存情報と照合し、間違いのない場合にのみコンテンツの再生を行なう。【選択図】図１
2005293138.tif 000002
【特許請求の範囲】
【請求項１】
通信ネットワークを介してコンテンツ・プロバイダから音楽、映像などのコンテンツをディジタル形式で取得して再生するコンテンツ再生装置であって、
通信ネットワークを介してコンテンツと、該コンテンツの再生許諾条件と、該コンテンツの再生者が該コンテンツを再生するライセンスを有する本人であることを確認するための本人認証情報の控である本人認証控情報とを取得するためのライセンス取得手段と、
該ライセンス取得手段により取得したコンテンツと、該コンテンツに関する前記再生許諾条件と、前記本人認証控情報とを記憶するライセンス記憶手段と、
再生に際して再生するコンテンツとその再生方法を指定するための再生コンテンツ指定手段と、
前記本人認証情報を入力するための本人認証情報入力手段と、
前記再生コンテンツ指定手段により指定されたコンテンツの再生方法が該コンテンツに対応して前記ライセンス記憶手段に記憶された前記再生許諾条件に合致し、且つ前記本人認証情報入力手段により入力された前記本人認証情報が該コンテンツとその再生許諾条件とに対応して前記ライセンス記憶手段に記憶された本人認証控情報と一致している場合に指定されたコンテンツの再生を可と判定する判定手段と、
該判定手段により再生を可と判定された場合に、指定されたコンテンツを指定された方法で再生する再生手段と、を備えたコンテンツ再生装置。
【請求項２】
前記本人認証情報はユーザのパスワードであることを特徴とする請求項１に記載のコンテンツ再生装置。
【請求項３】
前記本人認証情報はユーザの指紋又は声紋であることを特徴とする請求項１に記載のコンテンツ再生装置。
【請求項４】
前記再生許諾条件には暗号化されたコンテンツを復号化するための鍵データを含み、前記再生手段は該鍵データを用いて暗号化されたコンテンツを復号化して再生することを特徴とする請求項１に記載のコンテンツ再生装置。
【請求項５】
請求項１に記載のコンテンツ再生装置において、更に前記再生許諾条件を入力する再生許諾条件入力手段を設け、前記判定手段は前記判定に加え、更に該再生許諾条件入力手段により入力された再生許諾条件が前記ライセンス記憶手段に記憶された再生許諾条件に合致していることを確認してコンテンツの再生を可と判定することを特徴とするコンテンツ再生装置。
【請求項６】
前記再生許諾条件入力手段として、ＩＣカード、メモリカード、車のキー、携帯電話機、ＲＦタグの何れかを使用することを特徴とする請求項５に記載のコンテンツ再生装置。
【発明の詳細な説明】
【技術分野】
【０００１】
本発明は、音楽、映像などのコンテンツ再生装置に関し、特にそのコンテンツの購入者本人のみが購入コンテンツの再生をすることができるコンテンツ再生装置に関する。
【背景技術】
【０００２】
近年のカーナビゲーション装置、テレマティクス装置などの車載端末装置は、ＨＤＤ、（Hard Disk Drive）、ＤＶＤ（Digital Versatile Disk）などの大容量記憶装置、インターネットに接続可能な通信装置、オーディオ装置、ビデオ装置等を内蔵装置として、又は車内ＬＡＮに接続した形の付属装置として備えているものが多い。これらの端末装置はインターネットを介して音楽、映像などのコンテンツをコンテンツ・プロバイダからダウンロードで入手し、車内で再生して楽しむことができる。
【０００３】
しかしながら、これら音楽、映像などのコンテンツは著作権、不正競争防止法等で保護されており不正な利用は防止されねばならない。不正な利用として現在のところ最も問題視されているのは違法コピーである。音楽、映像などの著作物等を単に視聴する行為については、現行著作権法においては著作権等の対象とされていない。
しかし、ダウンロードされるコンテンツには、ダウンロードした本人（購入者本人）にのみ再生が許可される条件が付いているものがある。また、再生可能回数、再生可能期限の条件が付いているものもある。購入に際してそのような再生条件が課されている場合には、その条件に反する再生は違法となる。また、視聴行為に対する著作権等による保護自体も、今後、国際的な動向や著作物等の流通、活用形態の変化などによっては法制化されることが予想される。
【０００４】
車両の場合、車両を個人で所有しているときには問題はないが、車両を売却したり、厳密には所有者と異なる人が運転するときには、元々の所有者即ち、コンテンツの購入者以外の他人が視聴したりコピーすることが起こり得る。
また、コンテンツ購入に対するユーザ側の要求も多様化してきており、「一度だけ視聴したい。」、「３回視聴できればよい。」、「何回でも視聴したい。」、「今月中のみ視聴できればよい。」等、様々である。
【０００５】
違法コピーを防止する技術としては、ＳＣＭＳ（Serial Copy Management System）、ＣＧＭＳ（Copy Generation Management System）をはじめとする種々の技術が開発、提案され実用化もされている。しかし、視聴については視聴者がそのコンテンツの購入者本人か否かを判定して保護する技術は殆ど開示されていない。また、上記のようなユーザの多様な要求に対応し、それらの様々な購入条件（再生許諾条件）に対応した視聴か否かを判定する技術も殆ど開示されていない。
【特許文献１】特開２００４−１３５６４号公報
【特許文献２】特開２０００−９００３９号公報
【発明の開示】
【発明が解決しようとする課題】
【０００６】
本発明は、このような従来技術の問題点を解決するためになされたもので、その課題は、音楽、映像などのコンテンツの再生者がそのコンテンツの購入者本人であること、及びその再生の条件が購入契約で決めた再生許諾条件に一致しているか否かを判定してコンテンツを再生させるコンテンツ再生装置を提供することにある。
【課題を解決するための手段】
【０００７】
前記課題を達成するための請求項１に記載の発明は、通信ネットワークを介してコンテンツ・プロバイダから音楽、映像などのコンテンツをディジタル形式で取得して再生するコンテンツ再生装置であって、
通信ネットワークを介してコンテンツと、該コンテンツの再生許諾条件と、該コンテンツの再生者が該コンテンツを再生するライセンスを有する本人であることを確認するための本人認証情報の控である本人認証控情報とを取得するためのライセンス取得手段と、
該ライセンス取得手段により取得したコンテンツと、該コンテンツに関する前記再生許諾条件と、前記本人認証控情報とを記憶するライセンス記憶手段と、
再生に際して再生するコンテンツとその再生方法を指定するための再生コンテンツ指定手段と、
前記本人認証情報を入力するための本人認証情報入力手段と、
前記再生コンテンツ指定手段により指定されたコンテンツの再生方法が該コンテンツに対応して前記ライセンス記憶手段に記憶された前記再生許諾条件に合致し、且つ前記本人認証情報入力手段により入力された前記本人認証情報が該コンテンツとその再生許諾条件とに対応して前記ライセンス記憶手段に記憶された本人認証控情報と一致している場合に指定されたコンテンツの再生を可と判定する判定手段と、
該判定手段により再生を可と判定された場合に、指定されたコンテンツを指定された方法で再生する再生手段と、を備えたコンテンツ再生装置である。
【０００８】
このような構成のコンテンツ再生装置によれば、指定されたコンテンツがライセンス記憶手段に保存されたものであり、指定された再生方法が保存されている再生許諾条件に合致しており、且つ、再生するユーザがそのコンテンツの購入者本人であることの確認が再生前に行なわれる。これにより、そのコンテンツを再生するライセンスを有する購入者本人以外の者による再生、及び再生許諾条件と異なる再生が防止されてコンテンツ・プロバイダの利益が保護される効果を奏する。
【０００９】
また、請求項２に記載の発明は、請求項１に記載のコンテンツ再生装置において、前記本人認証情報はユーザのパスワードであることを特徴とする。
本人認証情報としてパスワードを使用すれば、再生ライセンスを有する購入者本人であるか否かの判定を簡便に行なうことができる。
【００１０】
また、請求項３に記載の発明は、請求項１に記載のコンテンツ再生装置において、前記本人認証情報はユーザの指紋又は声紋であることを特徴とする。
本人認証情報として指紋又は声紋を使用して確認すれば、購入者本人以外の者による再生を効果的に防止することができる。
【００１１】
また、請求項４に記載の発明は、請求項１に記載のコンテンツ再生装置において、前記再生許諾条件には暗号化されたコンテンツを復号化するための鍵データを含み、前記再生手段は該鍵データを用いて暗号化されたコンテンツを復号化して再生することを特徴とする。
このようにコンテンツデータを暗号化して保存しておき、再生の際に鍵データを用いて復号化するようにすれば違法コピーや不正再生の防止に効果がある。
【００１２】
また、請求項５に記載の発明は、請求項１に記載のコンテンツ再生装置において、更に前記再生許諾条件を入力する再生許諾条件入力手段を設け、前記判定手段は前記判定に加え、更に該再生許諾条件入力手段により入力された再生許諾条件が前記ライセンス記憶手段に記憶された再生許諾条件に合致していることを確認してコンテンツの再生を可と判定することを特徴とする。
このような構成とすれば、不正な再生を一層効果的に防止することが可能となる。
【００１３】
また、請求項５に記載の発明は、請求項１に記載のコンテンツ再生装置において、前記再生許諾条件入力手段として、ＩＣカード、メモリカード、車のキー、携帯電話機、ＲＦタグの何れかを使用することを特徴とする。
これらの機器はメモリ機能を有しており再生許諾条件を記憶させておくことができる。且つ、その記憶内容を制御回路により読み取ることは容易であるため簡便な再生許諾条件入力手段として適している。
【発明を実施するための最良の形態】
【００１４】
以下、本発明の実施の形態を図面を参照して詳しく説明する。図１は本発明の一実施形態であるコンテンツ再生装置の全体構成をブロック図で表わしたものである。本実施形態のコンテンツ再生装置１は、制御回路２、通信装置３、表示装置４、音声出力装置５、ハードディスク装置（以下、ＨＤＤという。）６、操作スイッチ群７、本人認証情報入力手段８、再生許諾条件入力手段９を備えて構成される。
【００１５】
制御回路２は、コンテンツ再生装置１の動作全般を制御する機能を有するものでマイクロコンピュータを主体にして構成されている。即ち、制御回路２は、ＣＰＵ１０、ＲＡＭ１１、ＲＯＭ１２及び図示しないＩ／Ｏインターフェースとそれらを接続するバス、電源装置を備えて構成されている。制御回路２は後述する判定手段として機能する他、後述するライセンス取得手段、ライセンス記憶手段、本人認証情報入力手段、再生手段の一部としても機能する。
【００１６】
通信装置３は、インターネットを介してコンテンツ・プロバイダ１３のサーバに接続してユーザが希望するコンテンツ及びそのコンテンツを再生するライセンスを取得するためのものである。コンテンツ再生装置１を車載用に構成する場合には、通信装置３は無線によりインターネットと接続可能なものとする。
表示装置４は、制御回路２からの情報をユーザに知らせたり、映画、ゲームなどの映像コンテンツを表示するためのもので例えばカラー液晶ディスプレイで構成される。音声出力装置５は、音楽コンテンツや映像コンテンツに伴う音を出力するための装置で例えばスピーカである。ＨＤＤ６は、各種コンテンツや当該コンテンツに係る再生許諾条件（ライセンス条件）、後述する本人認証控情報、コンテンツ再生装置１を動作させる各種プログラム等を記憶するためのものである。操作スイッチ群７は、リモコンスイッチやカラー液晶ディスプレイ上に形成したタッチスイッチ等で構成され、制御回路２への各種情報入力に使用するものである。
【００１７】
本人認証情報入力手段８は、コンテンツの再生を希望するユーザが該コンテンツを再生するライセンスを有する購入者本人（ライセンシー）であるが否かを確認するための本人認証情報を入力するための手段である。本人認証控情報としてはパスワード、指紋、声紋等を使用することができ、指紋を使用する場合には指紋入力装置１４、声紋を使用する場合には声紋入力装置１５を用いる。また、本人認証控情報としてパスワードを使用する場合には、前記操作スイッチ群７を本人認証情報入力手段８として流用することができる。
【００１８】
再生許諾条件入力手段９は、再生を希望するコンテンツの再生許諾条件（ライセンス条件）を記憶しておいてその条件を再生に先立って制御回路２に入力するための手段である。この再生許諾条件入力手段９としては、例えばメモリカード１６、ＩＣカード１７、メモリを内蔵する車のキー１８、携帯電話機１９、ＲＦタグ２０等を用いることができる。ＲＦタグはＩＣチップとアンテナとを備え、非接触により情報処理装置と通信を行なうＩＤタグである。これらの入力手段は、それぞれが有する図示しないインターフェイス回路を介して制御回路２に接続される。
【００１９】
なお、本発明の請求項に記載した各種手段と図１に示した本実施形態のコンテンツ再生装置１の構成機器との対応関係について言えば、ライセンス取得手段は通信装置３、制御回路２、操作スイッチ群７、表示装置４により構成され、ライセンス記憶手段はＨＤＤ６、制御回路２により構成される。また、再生コンテンツ指定手段は操作スイッチ群７、制御回路２、表示装置４により構成され、判定手段は制御回路２、ＨＤＤ６により構成され、コンテンツ再生手段は音声出力装置４、表示装置４、制御回路２、ＨＤＤ６により構成される。本人認証情報入力手段８は指紋入力装置１４、声紋入力装置１５、操作スイッチ群７等であり、再生許諾条件入力手段９はメモリカード１６、ＩＣカード１７、車のキー１８、携帯電話機１９、ＲＦタグ２０等である。
【００２０】
次に、このような装置構成の下でユーザがコンテンツの再生を行なう場合の操作と制御回路２の処理フローについて説明する。コンテンツ再生に先立ってユーザは、希望するコンテンツをコンテンツ・プロバイダから購入して自己のコンテンツ再生装置１内にダウンロードしておく必要がある。このコンテンツの購入とダウンロードは、インターネットを介して行なう。その操作と処理フローを図２を参照して説明する。
【００２１】
最初にユーザは、操作スイッチ群７を操作して通信装置３とインターネットを介してコンテンツ・プロバイダ１３の提供するホームページにアクセスする（ステップＳ１）。そしてホームページ上で購入希望するコンテンツを指定する（ステップＳ２）。次に、そのコンテンツを再生する希望条件に合わせたライセンスを購入するためにコンテンツの再生条件を入力する（ステップＳ３）。再生条件は例えば、購入に使用したコンテンツ再生装置１上での再生のみ可、再生回数は５回、再生可能期限は２００６年５月末、コピーは不可、コピーは１回のみ可、コピー回数に制限なし等であり、ユーザの希望する様々な再生形態での購入を可能としておく。このように再生形態に合わせてライセンスの種類を多くしておけば、ユーザにとっては希望する再生形態に必要な料金の支払いのみで安くコンテンツを購入できるメリットがある。
【００２２】
続いて本人の名称、代金の支払い方法を入力する（ステップＳ４）。続くステップＳ５では本人認証情報を入力する。本実施形態のコンテンツ再生装置１はコンテンツを購入した本人、即ち、そのコンテンツを再生するライセンスを取得した本人のみに再生が許されるようにすることを目的としている。従って、再生するユーザがコンテンツ購入者本人であることを確認するための本人認証情報が必要であり、これをコンテンツ・プロバイダ１３に送信する。本人認証情報としては、パスワード、指紋、声紋等を使用する。パスワードは操作スイッチ群７より、指紋は指紋入力装置１４より、声紋は声紋入力装置１５より入力して送信する。
【００２３】
以上の入力を終えた後に購入決定の入力を行なう（ステップＳ６）。するとそれまでに入力した情報がコンテンツ・プロバイダ１３側に送信され、必要な処理が行なわれて購入契約が成立する（ステップＳ７）。
コンテンツ購入契約が成立すると購入したコンテンツのダウンロードが可能となる。ダウンロードされたコンテンツは制御回路２によってＨＤＤ６内に保存される（ステップＳ８）。このコンテンツのダウンロードと同時に、コンテンツ・プロバイダ１３側からはそのコンテンツの再生に関する再生許諾条件と前記本人認証控情報とが送信されてくる。制御回路２はそれらの情報を受信してＨＤＤ６内に格納する（ステップＳ９、Ｓ１０）。
【００２４】
図３に一つのコンテンツについての再生許諾条件の例を示す。本実施形態の再生許諾条件は、コンテンツ名称、コンテンツＩＤ、ユーザ（ライセンシー）名称、ユーザ登録番号、コンテンツ再生機器、ライセンス番号、ライセンス発行者、鍵情報から成り立っている。コンテンツ再生機器は、本コンテンツ再生装置１の機器番号で、購入契約成立の際にコンテンツ・プロバイダ１３によって自動的に読み取られる。ライセンス番号は、再生条件毎に与えられる。鍵情報は、購入したコンテンツが暗号化されて配信されそのまま保存されているため、再生に際してその暗号化を解くためのものである。
【００２５】
図４に本人認証控情報の例を示す。本人認証控情報はライセンス番号に対応して記憶される。本人認証情報としては、パスワード、指紋、声紋の何れか一つ又は複数を組み合わせて使用する。
最後のステップＳ１１では、ＨＤＤ６に保存した再生許諾条件のコピーが再生許諾条件入力手段９の中に制御回路２により作成される。以上によりコンテンツ購入時の操作と制御回路２による処理が完了する。
【００２６】
次に、ＨＤＤ６内に保存されているコンテンツを再生する際の操作とその際の制御回路２が行なう処理について図５のフローを参照して説明する。
ユーザは最初に再生許諾条件入力手段９を制御回路２にセットする（ステップＢ１）。続いて操作スイッチ群７を操作してＨＤＤ６内に保存されているコンテンツを選択する画面を表示装置４に表示させ（ステップＢ２）、再生を希望するコンテンツをその中から指定する（ステップＢ３）。続いて、選択したコンテンツの再生形態（再生方法）を操作スイッチ群７の操作、あるいは表示画面上での選択により指定する。この再生形態とは、本コンテンツ再生装置１上での再生、接続したＤＶＤへのコピーといった再生のさせ方を指す。
【００２７】
再生コンテンツの指定とその再生形態が指定されると、制御回路２は指定されたコンテンツがＨＤＤ６内に保存されているか否か、保存されている場合には再生形態に合うライセンスが登録されているか否かをチェックする（ステップＢ５）。このライセンスが登録されているか否かのチェックは、図３に例示した再生許諾条件の中のライセンス番号の内容と照らしてチェックする。再生回数が制限されているライセンス、再生期限が決められているライセンスの場合には、今回の再生がその条件に一致しているか否かのチェックも行なう。
【００２８】
指定されたコンテンツが保存されておらず、保存されていても該当するライセンスが存在しない場合にはライセンスが無い旨を表示して（ステップＢ１１）終了する。コンテンツおよびそのライセンスがＨＤＤ６内に保存されている場合にはステップＢ６に移る。
ステップＢ６では、ステップＢ３、Ｂ４で指定されたコンテンツとその再生形態のライセンス情報が、再生許諾条件入力手段９内に保存されているか否かのチェックを行なう。このようにライセンスがＨＤＤ６内の他に再生許諾条件入力手段９にも保存されているか否かをチェックするのは、チェックを厳重に行なうためである。従って、このステップＢ６のチェックは必ず必要とするものではない。このチェックを実施しない場合には、ステップＢ１、Ｂ６の操作と処理を省くことができる。再生許諾条件入力手段９にライセンスが記憶されていない場合にはライセンスが無い旨を表示して（ステップＢ１１）終了する。
【００２９】
指定されたコンテンツが存在しライセンスも存在する場合には、制御回路２は本人認証情報の入力を要求する（ステップＢ７）。ユーザはその指示に従い、予め決められている本人認証情報であるパスワード、指紋、声紋等を入力する（ステップＢ８）。
制御回路２は、入力された本人認証情報をライセンスに対応してＨＤＤ６内に保存されている図４に例示したような本人認証控情報と照合して本人であるか否かの判定を行なう（ステップＢ９）。入力された本人認証情報が本人認証控情報と一致しない場合には、ライセンスが無い旨を表示して（ステップＢ１１）終了する。
【００３０】
入力された本人認証情報が本人認証控情報と一致した場合に初めて、指定されたコンテンツを指定された再生形態で再生させる（ステップＢ１０）。この場合、ＨＤＤ６内に保存されているコンテンツデータは暗号化されているので、鍵情報を使用してその暗号化を解いて再生を行なう。
このように本実施形態のコンテンツ再生装置１では、コンテンツと共にそのコンテンツの再生許諾条件及び購入者本人であることを確認するための本人認証控情報とがコンテンツ再生装置１に保存される。そして、再生に際しては指定されたコンテンツの再生形態が保存されている再生許諾条件に合致し、且つ、再生するユーザがそのコンテンツの購入者本人であることを確認して再生を行なうようにしている。従って、そのコンテンツを再生するライセンスを有する購入者本人以外の者による再生、及び再生許諾条件と異なる再生が行なわれることが防止されこととなり、コンテンツ・プロバイダの利益が保護される効果を奏する。
【図面の簡単な説明】
【００３１】
【図１】本発明に係るコンテンツ再生装置の全体構成の例である。
【図２】コンテンツ購入時の操作と制御回路の処理を説明するフロー図である。
【図３】購入コンテンツの再生許諾条件の例である。
【図４】本人認証控情報の例である。
【図５】コンテンツ再生時の操作と制御回路の処理を説明するフロー図である。
【符号の説明】
【００３２】
図面中、１はコンテンツ再生装置、２は制御回路、３は通信装置、４は表示装置、５は音声出力装置、６はＨＤＤ、７は操作スイッチ群、８は本人認証情報入力手段、９は再生許諾条件入力手段、１３はコンテンツ・プロバイダ、１６はメモリカード、１７はＩＣカード、１８は車のキー、１９は携帯電話機、２０はＲＦタグを示す。
【図１】
2005293138.tif 000003
【図２】
2005293138.tif 000004
【図３】
2005293138.tif 000005
【図４】
2005293138.tif 000006
【図５】
2005293138.tif 000007